(57)【要約】【課題】ドロンコーンに対するウェイト調整をスピーカを駆動させながら連続的に行えるようにする。【解決手段】ドロンコーン１２に一体的に設けられた液体収納部２１と、所定の液体Ｌが貯留されていて液体収納部２１とパイプ材２３を介して接続される液体貯留タンク２２と、液体貯留タンク２２内の液体Ｌを液体収納部２１に対して出し入れするポンプ手段２４（好ましくはギアポンプ）とからなるドロンコーン用の質量調整手段２０を備える。【選択図】図１
2011004300.tif 000002
【特許請求の範囲】
【請求項１】
密閉されたエンクロージャの前面に、スピーカユニットとドロンコーンとが配置されており、上記スピーカユニットの背面側からの音響出力が上記ドロンコーンの背面側に作用し、上記ドロンコーンが上記スピーカユニットと同位相的に振動するように設計されたスピーカにおいて、
上記スピーカユニットの駆動中においても、上記ドロンコーンの上記音響出力に対する有効質量を連続的に可変し得る質量調整手段を備えており、
上記質量調整手段が、上記ドロンコーンに一体的に設けられた液体収納部と、所定の液体が貯留されていて上記液体収納部とパイプ材を介して接続される液体貯留タンクと、上記液体貯留タンク内の液体を上記液体収納部に対して出し入れするポンプ手段とからなることを特徴とするスピーカ。
【請求項２】
上記ドロンコーンは平板状に形成された振動板からなり、上記液体収納部が上記振動板内で扁平状に形成されていることを特徴とする請求項１に記載のスピーカ。
【請求項３】
上記ポンプ手段として、ギアポンプが用いられることを特徴とする請求項１または２に記載のスピーカ。
【発明の詳細な説明】
【技術分野】
【０００１】
本発明は、ドロンコーン方式のスピーカに関し、さらに詳しく言えば、スピーカユニットの駆動中においても、ドロンコーンのウエイト（質量）を連続的に可変し得るようにしたスピーカに関するものである。
【背景技術】
【０００２】
スピーカは、一般的に共鳴箱としてのエンクロージャを備えているが、エンクロージャには、低音域の周波数応答を延伸することを目的とした位相反転型がある。その位相反転型の一つにドロンコーン（ｄｒｏｎ  ｃｏｎｅ）方式がある（例えば、特許文献１参照）。なお、ドロンコーンはパッシブラジエータ（ｐａｓｓｉｖｅ  ｒａｄｉａｔｏｒ）とも呼ばれている。
【０００３】
ドロンコーン方式の設計は、位相反転形に比べてより複雑であるため、最適設計の計算式はあまりない。そこで、共振周波数を変えるには、ドロンコーンに付加するウェイトを試行錯誤的に可変するようにしている。
【０００４】
すなわち、スピーカを駆動させていないときにウェイトを交換し、再度スピーカを駆動させて測定もしくは聴音で共振周波数を把握し、この繰り返しにより共振周波数を好ましい帯域に設定するようにしている。
【０００５】
しかしながら、これによると当然のこととして時間と手間がかかる。また、ウェイトは固体であることから、連続的に可変することができない。
【先行技術文献】
【特許文献】
【０００６】
【特許文献１】特開平２−２１２３９７号公報
【発明の概要】
【発明が解決しようとする課題】
【０００７】
したがって、本発明の課題は、ドロンコーンに対するウェイト調整をスピーカを駆動させながら連続的に行えるようにすることにある。
【課題を解決するための手段】
【０００８】
上記課題を解決するため、本発明は、密閉されたエンクロージャの前面に、スピーカユニットとドロンコーンとが配置されており、上記スピーカユニットの背面側からの音響出力が上記ドロンコーンの背面側に作用し、上記ドロンコーンが上記スピーカユニットと同位相的に振動するように設計されたスピーカにおいて、上記スピーカユニットの駆動中においても、上記ドロンコーンの上記音響出力に対する有効質量を連続的に可変し得る質量調整手段を備えており、上記質量調整手段が、上記ドロンコーンに一体的に設けられた液体収納部と、所定の液体が貯留されていて上記液体収納部とパイプ材を介して接続される液体貯留タンクと、上記液体貯留タンク内の液体を上記液体収納部に対して出し入れするポンプ手段とからなることを特徴としている。
【０００９】
本発明の好ましい態様によれば、上記ドロンコーンは平板状に形成された振動板からなり、上記液体収納部が上記振動板内で扁平状に形成される。
【００１０】
また、上記ポンプ手段として、ギアポンプが好ましく用いられる。
【発明の効果】
【００１１】
本発明によれば、ドロンコーンに一体的に設けられた液体収納部に対して、ポンプ手段により液体を出し入れすることにより、スピーカユニットを駆動しながら、ドロンコーンの付加質量の増減を連続的に行うことができる。
【図面の簡単な説明】
【００１２】
【図１】本発明の実施形態に係るスピーカの構成を模式的に示す断面図。
【発明を実施するための形態】
【００１３】
次に、図１を参照して、本発明の実施形態について説明するが、本発明はこれに限定されるものではない。
【００１４】
図１に示すように、本発明の実施形態に係るスピーカ１は、密閉されたエンクロージャ１０を備えている。エンクロージャ１０の前面（図１において左側）には、スピーカユニット１１と、ドロンコーン１２とが並置されている。
【００１５】
この実施形態において、ドロンコーン１２は、駆動系を持たない振動板１２ａとして構成されている。本発明では、ドロンコーン１２のウェイト（有効質量）を連続的に可変し得る質量調整手段２０を備えている。
【００１６】
質量調整手段２０は、ドロンコーン１２に一体的に設けられた液体収納部２１と、所定の液体Ｌが貯留されていて液体収納部２１とパイプ材２３を介して接続される液体貯留タンク２２と、液体貯留タンク２２内の液体Ｌを液体収納部２１に対して出し入れするポンプ手段２４とから構成されている。
【００１７】
液体収納部２１は、例えばゴム製の袋体から形成され、好ましくは振動板１２ａ内に扁平状として組み込まれるが、振動板１２ａの内面側に所定の取り付け具を介して固定されてもよい。
【００１８】
液体貯留タンク２２は、エンクロージャ１０の外側に配置される。液体Ｌには水等が用いられてよい。パイプ材２３には、ゴムホース等の可撓性パイプが好ましく採用される。
【００１９】
また、ポンプ手段２４は、ギアポンプ２４ａであることが好ましい。ギアポンプ２４ａによれば、その回転方向に応じて液体Ｌの流れ方向を変えることができるとともに、その回転数に応じて流量も連続的に調整することができる。
【００２０】
本発明によれば、ギアポンプ２４ａを例えば正回転させて、液体貯留タンク２２内の液体Ｌを液体収納部２１に供給することにより、ドロンコーン１２に対する付加質量を連続的に増大させることができる。
【００２１】
これに対して、ギアポンプ２４ａを逆回転させて、液体収納部２１内の液体Ｌを液体貯留タンク２２内に戻すことにより、ドロンコーン１２に対する付加質量を連続的に減じることができる。
【００２２】
したがって、スピーカユニット１１を駆動しながら、ドロンコーン１２に対する付加質量を連続的に増減させ、共振周波数を好ましい帯域に設定することができ、所望とする共振周波数に追い込んだ時点でギャポンプ２４ａを停止させればよい。
【００２３】
なお、上記実施形態と異なり、ドロンコーン１２がスピーカユニットから駆動部を取り外した形態のコーン紙型である場合には、その駆動部に相当するコーン紙の底面部に液体収納部２１を設ければよい。
【符号の説明】
【００２４】
１  スピーカ
１０  エンクロージャ
１１  スピーカユニット
１２  ドロンコーン
１２ａ  振動板
２０  質量調整手段
２１  液体収納部
２２  液体貯留部
２３  パイプ材
２４  ポンプ手段
２４ａ  ギアポンプ
【図１】
2011004300.tif 000003